(57)【要約】      （修正有）【課題】レジストレーション調整の際の操作性の低下を防止するプロジェクターを提供する。【解決手段】光源１１から射出された光を、カラー表示用の色光毎に画像信号に応じて変調する光変調装置（液晶ライトバルブ１２Ｒ，１２Ｇ，１２Ｂ）と、変調された各色光を投写する投写光学系（投写レンズ１３）と、操作を受け付ける操作受付部２１と、各色光間において投写画面における水平方向および垂直方向のうち少なくとも一方向に位置ずれが生じた場合に、操作に基づいて、位置ずれが低減されるように各色光に対応する画像信号の補正を行い、補正された画像信号を光変調装置に供給するレジストレーション調整部（レジストレーション制御部２７、ライトバルブ駆動部１４）と、レジストレーション調整部による画像信号の補正がなされている補正方向を、方向を表すアイコンとして投写画面に表示させる補正方向表示制御部（ＯＳＤ処理部３２）とを備える。【選択図】図１
2012088636.tif 000002
【特許請求の範囲】
【請求項１】
光源と、
前記光源から射出された光を、カラー表示用の色光毎に画像信号に応じて変調する光変
調装置と、
前記光変調装置で変調された各色光を投写する投写光学系と、
操作を受け付ける操作受付部と、
前記各色光間において投写画面における水平方向および垂直方向のうち少なくとも一方
向に位置ずれが生じた場合に、前記操作受付部が受け付けた操作に基づいて、前記位置ず
れが低減されるように前記各色光に対応する前記画像信号の補正を行い、補正された画像
信号を前記光変調装置に供給するレジストレーション調整部と、
前記レジストレーション調整部による前記画像信号の補正がなされている補正方向を、
方向を表すアイコンとして前記投写画面に表示させる補正方向表示制御部と、
を備えることを特徴とするプロジェクター。
【請求項２】
請求項１に記載のプロジェクターであって、
プロジェクター本体の設置姿勢情報として、スクリーンに対して前面側から投写を行う
フロント投写姿勢または前記スクリーンに対して背面側から投写を行うリア投写姿勢のい
ずれかの情報、および、所定の基本姿勢で設置した正置き姿勢または天地を反転させた天
吊り姿勢のいずれかの情報、が記憶される設置姿勢記憶部をさらに有し、
前記補正方向表示制御部は、前記設置姿勢記憶部に記憶された前記設置姿勢情報が、前
記フロント投写姿勢且つ前記天吊り姿勢の場合には、前記アイコンが指し示す方向を水平
方向および垂直方向に逆転し、前記設置姿勢情報が前記リア投写姿勢且つ前記正置き姿勢
の場合には、前記アイコンが指し示す方向を水平方向に逆転し、前記設置姿勢情報が前記
リア投写姿勢且つ前記天吊り姿勢の場合には、前記アイコンが指し示す方向を垂直方向に
逆転することを特徴とするプロジェクター。
【請求項３】
請求項１または２に記載のプロジェクターであって、
前記補正方向表示制御部が表示させる前記補正方向を表す前記アイコンの色は、補正が
なされている前記画像信号が表す色に対応する色であることを特徴とするプロジェクター
。
【請求項４】
請求項３に記載のプロジェクターであって、
前記レジストレーション調整部による最大の補正量である最大補正量を記憶する最大補
正量記憶部をさらに有し、
前記補正方向表示制御部は、前記レジストレーション調整部による補正量が前記最大補
正量になった場合には、前記アイコンの色を所定の色に変更させることを特徴とするプロ
ジェクター。
【請求項５】
請求項４に記載のプロジェクターであって、
前記レジストレーション調整部による補正量と、前記最大補正量とを前記投写画面に数
字で表示させる補正量表示制御部をさらに有することを特徴とするプロジェクター。
【請求項６】
請求項４または５に記載のプロジェクターであって、
前記補正方向表示制御部は、前記補正量と前記最大補正量との割合に対応して、前記ア
イコンを、補正がなされている前記画像信号が表す色に対応する色と他の色とで塗り分け
ることを特徴とするプロジェクター。
【請求項７】
光源と、前記光源から射出された光を、カラー表示用の色光毎に画像信号に応じて変調
する光変調装置と、前記光変調装置で変調された各色光を投写する投写光学系と、操作を
受け付ける操作受付部とを有するプロジェクターの制御方法であって、
前記各色光間において投写画面における水平方向および垂直方向のうち少なくとも一方
向に位置ずれが生じた場合に、前記操作受付部が受け付けた操作に基づいて、前記位置ず
れが低減されるように前記各色光に対応する前記画像信号の補正を行い、補正された画像
信号を前記光変調装置に供給するレジストレーション調整ステップと、
前記レジストレーション調整ステップによる前記画像信号の補正がなされている補正方
向を、方向を表すアイコンとして前記投写画面に表示させる補正方向表示制御ステップと
、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、液晶プロジェクターにおいて、赤色光Ｒ、緑色光Ｇおよび青色光Ｂの３色光を合
成して投写を行うものが知られている。このようなプロジェクターでは、光学系の位置調
整の精度等にばらつきが生じる場合がある。そして、ばらつきが生じた場合にはスクリー
ン上に投写された画像において、各色光間での位置ずれのために色ずれが発生してしまう
場合があった。このような色ずれを低減するため、色ずれを電気的に補正するレジストレ
ーション調整機能を設けたプロジェクターが提案されている（例えば、特許文献１）。
【先行技術文献】
【特許文献】
【０００３】
【特許文献１】特開平８−２０１９３７号公報
【発明の概要】
【発明が解決しようとする課題】
【０００４】
ところで、プロジェクターは、会社、イベント会場、学校、家庭など様々な場所で活用
されている。そのような場所におけるプロジェクターの設置姿勢としては、机上などに設
置してスクリーンに投写させる姿勢や、プロジェクターの天地を逆向きにして天井などの
高所に固定用の治具を用いて吊り下げて固定設置して投写させる姿勢、スクリーンの背面
にプロジェクターを設置して投写させる姿勢等がある。例えば、天吊り姿勢で投写される
画像は、通常の姿勢で投写される場合と上下左右が反転した向き（１８０°回転した向き
）で表示されるため、ユーザーは、プロジェクターに備わる投写画像を反転させるための
画像変換機能を設定し、プロジェクターから投写される画像の向きを設置状態（姿勢）に
応じた向きに反転させていた。
【０００５】
ここで、このような画像変換機能が実行されている場合においても、前述した各色光間
での位置ずれによる色ずれの方向は、色ずれがハードウェア（光学機構）に依存するもの
であるため、画像変換を行う前と変化しない。このため、ユーザーがレジストレーション
調整を行う際に、レジストレーション調整画面上の補正方向（調整方向）と実際の補正方
向とが一致しなくなり、レジストレーション調整を行う際の操作性が低下してしまうとい
う問題があった。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクターは、光源と、前記光源から射出された光を
、カラー表示用の色光毎に画像信号に応じて変調する光変調装置と、前記光変調装置で変
調された各色光を投写する投写光学系と、操作を受け付ける操作受付部と、前記各色光間
において投写画面における水平方向および垂直方向のうち少なくとも一方向に位置ずれが
生じた場合に、前記操作受付部が受け付けた操作に基づいて、前記位置ずれが低減される
ように前記各色光に対応する前記画像信号の補正を行い、補正された画像信号を前記光変
調装置に供給するレジストレーション調整部と、前記レジストレーション調整部による前
記画像信号の補正がなされている補正方向を、方向を表すアイコンとして前記投写画面に
表示させる補正方向表示制御部と、を備えることを特徴とする。
【０００８】
このようなプロジェクターによれば、レジストレーション調整部は、カラー表示用の各
色光間において投写画面における水平方向および垂直方向のうち少なくとも一方向に位置
ずれが生じた場合に、ユーザーによる操作に基づいて、位置ずれが低減されるように画像
信号の補正を行う。補正方向表示制御部は、補正がなされている補正方向を、方向を表す
アイコンとして投写画面に表示させる。これにより、プロジェクターの設置状態に係わら
ず、アイコンによって、補正方向が投写画面に表示される。よって、プロジェクターから
投写される画像の向きを設置状態（姿勢）に応じた向きに反転させている場合においても
、ユーザーから見た投写画面の補正方向と実際の補正方向とが一致する。よって、レジス
トレーション調整を行う際の操作性の低下を防止することができる。
【０００９】
［適用例２］上記適用例に係るプロジェクターにおいて、プロジェクター本体の設置姿
勢情報として、スクリーンに対して前面側から投写を行うフロント投写姿勢または前記ス
クリーンに対して背面側から投写を行うリア投写姿勢のいずれかの情報、および、所定の
基本姿勢で設置した正置き姿勢または天地を反転させた天吊り姿勢のいずれかの情報、が
記憶される設置姿勢記憶部をさらに有し、前記補正方向表示制御部は、前記設置姿勢記憶
部に記憶された前記設置姿勢情報が、前記フロント投写姿勢且つ前記天吊り姿勢の場合に
は、前記アイコンが指し示す方向を水平方向および垂直方向に逆転し、前記設置姿勢情報
が前記リア投写姿勢且つ前記正置き姿勢の場合には、前記アイコンが指し示す方向を水平
方向に逆転し、前記設置姿勢情報が前記リア投写姿勢且つ前記天吊り姿勢の場合には、前
記アイコンが指し示す方向を垂直方向に逆転することを特徴とする。
【００１０】
このようなプロジェクターによれば、設置情報記憶部はプロジェクター本体の設置姿勢
情報を記憶する。そして、補正方向表示制御部は、設置姿勢情報に基づいて、アイコンが
指し示す方向を水平方向に逆転したり垂直方向に逆転したりする。これにより、プロジェ
クターの設置状態（姿勢）に係わらず、アイコンによって、補正方向が投写画面に表示さ
れる。
【００１１】
［適用例３］上記適用例に係るプロジェクターにおいて、前記補正方向表示制御部が表
示させる前記補正方向を表す前記アイコンの色は、補正がなされている前記画像信号が表
す色に対応する色であることを特徴とする。
【００１２】
このようなプロジェクターによれば、アイコンの色によって、位置ずれ補正（レジスト
レーション調整）を行っている色光の識別が可能になる。
【００１３】
［適用例４］上記適用例に係るプロジェクターにおいて、前記レジストレーション調整
部による最大の補正量である最大補正量を記憶する最大補正量記憶部をさらに有し、前記
補正方向表示制御部は、前記レジストレーション調整部による補正量が前記最大補正量に
なった場合には、前記アイコンの色を所定の色に変更させることを特徴とする。
【００１４】
このようなプロジェクターによれば、補正方向表示制御部は、レジストレーション調整
部による補正量が最大になった場合に、アイコンの色を所定の色に変更させる。これによ
り、ユーザーは最大補正量になっていることを認識することが可能になる。
【００１５】
［適用例５］上記適用例に係るプロジェクターにおいて、前記レジストレーション調整
部による補正量と、前記最大補正量とを前記投写画面に数字で表示させる補正量表示制御
部をさらに有することを特徴とする。
【００１６】
このようなプロジェクターによれば、レジストレーション調整を行う際に、ユーザーは
、補正量と最大補正量とを数字で比較することができる。よって、ユーザーは、現在の補
正量の程度を把握することができる。
【００１７】
［適用例６］上記適用例に係るプロジェクターにおいて、前記補正方向表示制御部は、
前記補正量と前記最大補正量との割合に対応して、前記アイコンを、補正がなされている
前記画像信号が表す色に対応する色と他の色とで塗り分けることを特徴とする。
このようなプロジェクターによれば、レジストレーション調整を行う際に、ユーザーは
、補正量と最大補正量とをアイコンの色の塗り分け状態で比較することができる。よって
、ユーザーは、容易に現在の補正量の程度を把握することができる。
【００１８】
［適用例７］本適用例に係るプロジェクターの制御方法は、光源と、前記光源から射出
された光を、カラー表示用の色光毎に画像信号に応じて変調する光変調装置と、前記光変
調装置で変調された各色光を投写する投写光学系と、操作を受け付ける操作受付部とを有
するプロジェクターの制御方法であって、前記各色光間において投写画面における水平方
向および垂直方向のうち少なくとも一方向に位置ずれが生じた場合に、前記操作受付部が
受け付けた操作に基づいて、前記位置ずれが低減されるように前記各色光に対応する前記
画像信号の補正を行い、補正された画像信号を前記光変調装置に供給するレジストレーシ
ョン調整ステップと、前記レジストレーション調整ステップによる前記画像信号の補正が
なされている補正方向を、方向を表すアイコンとして前記投写画面に表示させる補正方向
表示制御ステップと、を備えることを特徴とする。
【００１９】
このようなプロジェクターの制御方法によれば、プロジェクターの設置状態に係わらず
、アイコンによって、補正方向が投写画面に表示される。よって、プロジェクターから投
写される画像の向きを設置状態（姿勢）に応じた向きに反転させている場合においても、
ユーザーから見た投写画面の補正方向と実際の補正方向とが一致する。よって、レジスト
レーション調整を行う際の操作性の低下を防止することができる。
【００２０】
また、上述したプロジェクターおよびその制御方法がプロジェクターに備えられたコン
ピューターを用いて構築されている場合には、上記形態および上記適用例は、その機能を
実現するためのプログラム、あるいは当該プログラムを前記コンピューターで読み取り可
能に記録した記録媒体等の態様で構成することも可能である。記録媒体としては、フレキ
シブルディスクやハードディスク、ＣＤ−ＲＯＭ（Compact Disk Read Only Memory）、
ＤＶＤ（Digital Versatile Disk）、Ｂｌｕ−ｒａｙ  Ｄｉｓｃ（登録商標）、光磁気デ
ィスク、不揮発性メモリーカード、プロジェクターの内部記憶装置（ＲＡＭ（Random Acc
ess Memory）やＲＯＭ（Read Only Memory）等の半導体メモリー）、及び外部記憶装置（
ＵＳＢ（Universal Serial Bus）メモリー等）等、前記コンピューターが読み取り可能な
種々の媒体を利用することができる。
【図面の簡単な説明】
【００２１】
【図１】第１の実施形態に係るプロジェクターの回路構成を示すブロック図。
【図２】設置モード設定メニュー画面の説明図。
【図３】プロジェクターをスクリーンの正面側に設置した場合の説明図であり、（ａ）は、プロジェクターを正置き設置した場合の説明図、（ｂ）は、プロジェクターを天吊り設置した場合の説明図。
【図４】プロジェクターをスクリーンの背面側に設置した場合の説明図であり、（ａ）は、プロジェクターを正置き設置した場合の説明図、（ｂ）は、プロジェクターを天吊り設置した場合の説明図。
【図５】プロジェクターの投写画面の色ずれの説明図であり、（ａ）は、格子模様が表示された投写画像全体の正面図、（ｂ）は、投写画像の一部を拡大した説明図。
【図６】レジストレーション調整色選択画面を示す説明図。
【図７】レジストレーション調整画面を示す説明図であり、（ａ）は通常の調整状態を示す説明図、（ｂ）は、補正値が最大となった場合の調整状態を示す説明図。
【図８】アイコン方向変換処理のフローチャート。
【図９】フロント投写の場合のレジストレーション調整画面の説明図であり、（ａ）は、プロジェクターを正置き設置した場合の説明図、（ｂ）は、プロジェクターを天吊り設置した場合の説明図。
【図１０】リア投写の場合のレジストレーション調整画面の説明図であり、（ａ）は、プロジェクターを正置き設置した場合の説明図、（ｂ）は、プロジェクターを天吊り設置した場合の説明図。
【図１１】第２の実施形態に係るプロジェクターのレジストレーション調整画面を示す説明図。
【図１２】第３の実施形態に係るプロジェクターのレジストレーション調整画面を示す説明図。
【発明を実施するための形態】
【００２２】
以下、実施形態について説明する。
【００２３】
（第１の実施形態）
第１の実施形態では、レジストレーション調整機能を備え、レジストレーション調整に
よる補正方向（「レジストレーション補正方向」ともいう）をアイコンを用いて表示する
プロジェクターについて説明する。
【００２４】
図１は、第１の実施形態に係るプロジェクターの回路構成を示すブロック図である。
図１に示すように、プロジェクター１は、画像投写部１０、制御部２０、操作受付部２
１、光源制御部２２、設置姿勢記憶部としての設置モード記憶部２３、画像反転制御部２
４、レジストレーション補正値記憶部２５、最大補正量記憶部としてのレジストレーショ
ン補正最大値記憶部２６、レジストレーション制御部２７、画像情報入力部３１、ＯＳＤ
処理部３２、画像処理部３３等を備えて構成されている。
【００２５】
画像投写部１０は、光源１１、光変調装置としての３つの液晶ライトバルブ１２Ｒ，１
２Ｇ，１２Ｂ、投写光学系としての投写レンズ１３、ライトバルブ駆動部１４等を含んで
いる。画像投写部１０は、光源１１から射出された光を、液晶ライトバルブ１２Ｒ，１２
Ｇ，１２Ｂで変調して画像光を形成し、この画像光を投写レンズ１３から投写してスクリ
ーンＳＣ等に表示する。
【００２６】
光源１１は、超高圧水銀ランプやメタルハライドランプ等からなる放電型の光源ランプ
１１ａと、光源ランプ１１ａが放射した光を液晶ライトバルブ１２Ｒ，１２Ｇ，１２Ｂ側
に反射するリフレクター１１ｂとを含んで構成されている。光源１１から射出された光は
、図示しないインテグレーター光学系によって輝度分布が略均一な光に変換され、図示し
ない色分離光学系によって光の３色である赤色Ｒ、緑色Ｇ、青色Ｂの各色光成分に分離さ
れた後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液
晶パネル等によって構成される。液晶ライトバルブ１２Ｒ，１２Ｇ，１２Ｂには、マトリ
クス状に配列された複数の画素（図示せず）が形成されており、液晶に対して画素毎に駆
動電圧を印加可能になっている。ライトバルブ駆動部１４が、入力される画像情報に応じ
た駆動電圧を各画素に印加すると、各画素は、画像情報に応じた光透過率に設定される。
このため、光源１１から射出された光は、この液晶ライトバルブ１２Ｒ，１２Ｇ，１２Ｂ
を透過することによって変調され、画像情報に応じた画像が色光毎に形成される。形成さ
れた各色の画像は、図示しない色合成光学系によって画素毎に合成されてカラー画像とな
った後、投写レンズ１３から投写される。
【００２８】
制御部２０は、ＣＰＵ（Central Processing Unit）、各種データの一時記憶等に用い
られるＲＡＭ、および、マスクＲＯＭやフラッシュメモリー、ＦｅＲＡＭ（Ferroelectri
c RAM：強誘電体メモリー）等の不揮発性のメモリー等（いずれも図示せず）を備え、コ
ンピューターとして機能するものである。制御部２０は、ＣＰＵが不揮発性のメモリーに
記憶されている制御プログラムに従って動作することにより、プロジェクター１の動作を
統括制御する。
【００２９】
操作受付部２１は、ユーザーからの入力操作を受け付けるものであり、ユーザーがプロ
ジェクター１に対して各種指示を行うための複数の操作キーを備えている。操作受付部２
１が備える操作キーとしては、電源のオン・オフを切り替えるための電源キー、入力され
た画像信号を切り替えるための入力切替キー、各種設定を行うためのメニュー画面の表示
・非表示を切り替えるメニューキー、メニュー画面におけるカーソルの移動等に用いられ
るカーソルキー、各種設定を決定するための決定キー等がある。ユーザーが操作受付部２
１の各種操作キーを操作（押下）すると、操作受付部２１は、この入力操作を受け付けて
、ユーザーの操作内容に応じた操作信号を制御部２０に出力する。なお、操作受付部２１
として、遠隔操作が可能なリモコン（図示せず）を用いた構成としてもよい。この場合、
リモコンは、ユーザーの操作内容に応じた赤外線等の操作信号を発信し、図示しないリモ
コン信号受信部がこれを受信して制御部２０に伝達する。
【００３０】
光源制御部２２は、電源回路（図示せず）で生成された直流電流を交流矩形波電流に変
換するインバーター（図示せず）や、光源ランプ１１ａの電極間の絶縁破壊を行って、光
源ランプ１１ａの始動を促すためのイグナイター（図示せず）等を備えており、制御部２
０の指示に基づいて光源１１の点灯を制御する。具体的には、光源制御部２２は、光源１
１を始動させて所定の電力を供給することにより光源１１を点灯させるとともに、電力の
供給を停止して光源１１を消灯させることができる。また、光源制御部２２は、制御部２
０の指示に基づいて光源１１に供給する電力を制御することにより、光源１１の輝度（明
るさ）を調整することが可能である。
【００３１】
設置モード記憶部２３は、不揮発性メモリーからなり、プロジェクター１本体の設置姿
勢情報を設置モードとして記憶する。設置モードとしては、プロジェクター１本体をスク
リーンＳＣの正面（前面）に基本姿勢で設置する「フロント・正置き姿勢」、スクリーン
ＳＣの正面に天地を反転させて設置する「フロント・天吊り姿勢」、スクリーンＳＣの背
面に基本姿勢で設置する「リア・正置き姿勢」、または、スクリーンＳＣの背面に天吊り
姿勢で設置する「リア・天吊り姿勢」のいずれかが記憶される。設置モード記憶部２３に
対する書き込みおよび読み出しは、制御部２０が行う。制御部２０は、設置モード記憶部
２３に記憶された設置モードを、画像反転制御部２４に通知する。
【００３２】
画像反転制御部２４は、制御部２０から通知された設置モードに基づいて、ライトバル
ブ駆動部１４に、入力されている画像情報の上下反転や左右反転を行わせる。画像反転制
御部２４は、設置モードが「フロント・正置き」になっていれば、ライトバルブ駆動部１
４に対して画像情報を反転しないように指示を出す。また、画像反転制御部２４は、設置
モードが「フロント・天吊り」になっていれば、ライトバルブ駆動部１４に対して画像情
報の上下および左右を反転するように指示を出す。また、画像反転制御部２４は、設置モ
ードが「リア・正置き」になっていれば、ライトバルブ駆動部１４に対して画像情報の左
右を反転するように指示を出す。また、画像反転制御部２４は、設置モードが「リア・天
吊り」になっていれば、ライトバルブ駆動部１４に対して画像情報の上下を反転するよう
に指示を出す。
【００３３】
ここで、プロジェクター１本体の設置姿勢と設置モードについて説明する。
図２は、設置モード設定メニュー画面の説明図である。
図３は、プロジェクター１をスクリーンＳＣの正面側に設置した場合の説明図であり、
図３（ａ）は、プロジェクター１を正置き設置した場合の説明図であり、図３（ｂ）は、
プロジェクター１を天吊り設置した場合の説明図である。また、図４は、プロジェクター
１をスクリーンＳＣの背面側に設置した場合の説明図であり、図４（ａ）は、プロジェク
ター１を正置き設置した場合の説明図であり、図４（ｂ）は、プロジェクター１を天吊り
設置した場合の説明図である。
【００３４】
まず、設置モードの設定について説明する。
設置モード設定メニュー画面Ｎ１は、プロジェクター１本体の設置モードをユーザーに
設定させるためのメニュー画面である。設置モード設定メニュー画面Ｎ１は、ユーザーが
操作受付部２１に備わるメニューキーを押下して、所定の操作を行うことにより表示され
る。本実施形態では、設置モード設定メニュー画面Ｎ１は、ＯＳＤ（オンスクリーンディ
スプレイ）表示とし、制御部２０が後述するＯＳＤ処理部３２に指示を行って表示させる
。
【００３５】
図２に示すように、設置モード設定メニュー画面Ｎ１の最上部には、設置モード設定メ
ニュー画面であることを示す「設置モード設定」の文字列が表示されている。その下には
、設置モードの設定を促す「プロジェクターの設置姿勢を設定してください。」の文字列
が表示されている。さらに、画面中央には、「フロント・正置き」、「フロント・天吊り
」、「リア・正置き」、および「リア・天吊り」の選択肢が表示されている。そして、画
面下部には、キー入力手順についての説明が表示されている。
【００３６】
ユーザーが操作受付部２１を操作して、画面上で「フロント・正置き」、「フロント・
天吊り」、「リア・正置き」、または「リア・天吊り」を選択して、決定キーによって決
定すると、制御部２０は、選択された設置モードを設置モード記憶部２３に書き込んで記
憶させる。なお、本実施形態では、設置モードのデフォルトは「フロント・正置き」とす
る。
【００３７】
次に、設置姿勢と設置モードの関係を説明する。
図３（ａ）に示すように、プロジェクター１をスクリーンＳＣの正面側に正置き姿勢で
設置し、視聴者Ｈが正面側から視聴する状態をフロント・正置き状態と呼ぶ。このとき、
プロジェクター１から投写されてスクリーンＳＣに表示される画像を基本表示画像とする
。このフロント・正置き状態においては、ユーザーは、設置モード設定メニュー画面Ｎ１
において、「フロント・正置き」を選択することによって、視聴者Ｈは上下左右が正常な
画像を視認することができる。
【００３８】
図３（ｂ）に示すように、プロジェクター１をスクリーンＳＣの正面側に天吊り姿勢（
天井Ｒから上下逆に吊り下げられた姿勢）で設置し、視聴者Ｈが正面側から視聴する状態
をフロント・天吊り状態と呼ぶ。このとき、プロジェクター１から投写されてスクリーン
ＳＣ上に表示される画像は、フロント・正置き状態の基本表示画像に対して上下方向（垂
直方向）および左右方向（水平方向）に反転される。このため、視聴者Ｈが正しい画像を
視聴するためには、プロジェクター１から投写される画像も上下および左右に反転する必
要がある。そこで、フロント・天吊り状態においては、ユーザーは、設置モード設定メニ
ュー画面Ｎ１において、「フロント・天吊り」を選択する。これにより、画像反転制御部
２４からの指示によって、ライトバルブ駆動部１４は、画像情報の上下および左右を反転
する。そして、プロジェクター１は、画像情報の上下および左右を反転した画像光の投写
を行い、視聴者Ｈは、上下左右が正常な画像を視認することができる。
【００３９】
図４（ａ）に示すように、プロジェクター１をスクリーンＳＣの背面側に正置き姿勢で
設置し、視聴者Ｈが正面側から視聴する状態をリア・正置き状態と呼ぶ。このとき、プロ
ジェクター１から投写されてスクリーンＳＣ上に表示される画像は、フロント・正置き状
態の基本表示画像に対して左右方向に反転される。このため、視聴者Ｈが正しい画像を視
聴するためには、プロジェクター１から投写される画像も左右に反転する必要がある。そ
こで、リア・正置き状態においては、ユーザーは、設置モード設定メニュー画面Ｎ１にお
いて、「リア・正置き」を選択する。これにより、画像反転制御部２４からの指示によっ
て、ライトバルブ駆動部１４は、画像情報の左右を反転させる。そして、プロジェクター
１は、画像情報の左右を反転した画像光の投写を行い、視聴者Ｈは上下左右が正常な画像
を視認することができる。
【００４０】
図４（ｂ）に示すように、プロジェクター１をスクリーンＳＣの背面側に天吊り姿勢で
設置し、視聴者Ｈが正面側から視聴する状態をリア・天吊り状態と呼ぶ。このとき、プロ
ジェクター１から投写されてスクリーンＳＣ上に表示される画像は、フロント・正置き状
態の基本表示画像に対して上下方向に反転される。このため、視聴者Ｈが正しい画像を視
聴するためには、プロジェクター１から投写される画像も上下に反転する必要がある。そ
こで、リア・天吊り状態においては、ユーザーは、設置モード設定メニュー画面Ｎ１にお
いて、「リア・天吊り」を選択する。これにより、画像反転制御部２４からの指示によっ
て、ライトバルブ駆動部１４は、画像情報の上下を反転させる。そして、プロジェクター
１は、画像情報の上下を反転した画像光の投写を行い、視聴者Ｈは上下左右が正常な画像
を視認することができる。
【００４１】
図１に戻り、レジストレーション補正値記憶部２５は、不揮発性メモリーからなり、プ
ロジェクター１のレジストレーション補正量を、数値として記憶する。レジストレーショ
ン補正値（単に「補正値」ともいう）は、スクリーンＳＣ上に投写された画像における、
赤色光Ｒ、緑色光Ｇおよび青色光Ｂの各色光間での位置ずれによっておこる色ずれを電気
的に低減するための補正値である。本実施形態では、液晶ライトバルブ１２Ｒ，１２Ｇ，
１２Ｂにおける水平方向の補正値および垂直方向の補正値を記憶する。具体的には、レジ
ストレーション補正値記憶部２５は、水平方向および垂直方向のそれぞれについて、緑色
光Ｇに対する赤色光Ｒの補正値であるＧ−Ｒ補正値とその補正方向、および、緑色光Ｇに
対する青色光Ｂの補正値であるＧ−Ｂ補正値とその補正方向を記憶する。
【００４２】
後述するレジストレーション調整画面にて表示される補正値や補正方向は、制御部２０
がレジストレーション補正値記憶部２５から読み出して、ＯＳＤ処理部３２に通知を行い
、表示させる。また、ユーザーがレジストレーション調整画面にて補正値を変更すると、
制御部２０が、変更された補正値をレジストレーション補正値記憶部２５に書き込む。
【００４３】
レジストレーション補正最大値記憶部２６は、不揮発性メモリーからなり、レジストレ
ーション補正可能な最大補正量を数値（以降、「補正最大値」と呼ぶ）として記憶する。
具体的には、水平方向および垂直方向のそれぞれについて、Ｇ−Ｒ補正値の補正最大値と
Ｇ−Ｂ補正値の補正最大値とを記憶する。本実施形態では、いずれの補正最大値も「２０
」とする。レジストレーション補正最大値記憶部２６からの補正最大値の読み出しは、制
御部２０が行う。
【００４４】
レジストレーション制御部２７は、制御部２０から通知されたレジストレーション補正
値に基づいて、ライトバルブ駆動部１４に、入力されている画像情報のレジストレーショ
ン補正（調整）を行わせる。制御部２０は、レジストレーション補正値記憶部２５に記憶
されたレジストレーション補正値を、レジストレーション制御部２７に通知する。レジス
トレーション制御部２７は、レジストレーション補正値の水平方向および垂直方向のＧ−
Ｒ補正値、Ｇ−Ｂ補正値、および補正方向に基づいて、ライトバルブ駆動部１４にレジス
トレーション補正（調整）を行わせる。このときのレジストレーション制御部２７および
ライトバルブ駆動部１４がレジストレーション調整部に相当する。なお、レジストレーシ
ョン補正（調整）の方法は既知の方法を用いるものとする（例えば、特開平８−２０１９
３７号公報参照）。
【００４５】
ここで、レジストレーション調整（レジストレーション補正ともいう）について説明す
る。
図５は、プロジェクター１の投写画面の色ずれの説明図であり、図５（ａ）は、格子模
様が表示された投写画像全体の正面図であり、図５（ｂ）は、投写画像の一部を拡大した
説明図である。
【００４６】
図５（ａ）に示すように、投写画像Ｇ１には格子模様を形成するように罫線Ｋ１が水平
方向および垂直方向に複数表示されている。罫線Ｋ１は、赤色光ＫＲ、緑色光ＫＧおよび
青色光ＫＢが合成されて構成されている。図５（ｂ）には、投写画像Ｇ１の一部分の画像
Ｐ１が拡大されている。ここで、一部分の画像Ｐ１の中央の水平方向の横罫線は、緑色光
ＫＧ１に対して赤色光ＫＲ１が垂直方向の下側にＬ１分位置ずれした状態になっている。
このように位置ずれ（色ずれ）している場合には、ユーザーがレジストレーション調整の
機能を用いて、赤色光ＫＲ１を垂直方向の上側にＬ１分移動するように補正（調整）する
。レジストレーション調整の画面の説明は後述する。なお、本実施形態では、垂直方向の
位置ずれについて説明したが、位置ずれは、水平方向に対して発生する場合もある。また
、緑色光ＫＧに対して青色光ＫＢが位置ずれする場合もある。
【００４７】
図１に戻り、画像情報入力部３１には、パーソナルコンピューターやビデオ再生装置、
メモリーカード、ＵＳＢストレージ、デジタルカメラ等、外部の画像供給装置（図示せず
）とケーブルを介した接続を行うための各種の入力端子（図示せず）が備えられており、
画像供給装置から画像情報（画像信号）が入力される。画像情報入力部３１は、入力され
る画像情報を、ＯＳＤ処理部３２で処理可能な形式の画像情報に変換して、ＯＳＤ処理部
３２に出力する。
【００４８】
ＯＳＤ処理部３２は、制御部２０の指示に基づいて、入力画像上にメニュー画像やメッ
セージ画像等のＯＳＤ画像を重畳するための処理を行う。ＯＳＤ処理部３２は、ＯＳＤメ
モリー３２ａを備えており、ＯＳＤ画像を形成するための図形やフォント等を表す画像デ
ータを記憶している。本実施形態では、ＯＳＤメモリー３２ａは、設置モード設定メニュ
ー画面Ｎ１や、後述するレジストレーション調整色選択画面、レジストレーション調整画
面における罫線や補正方向を示すアイコン、補正値を表す数字フォント等の画像データを
記憶している。
【００４９】
制御部２０が、ＯＳＤ画像の重畳を指示すると、ＯＳＤ処理部３２は、必要な画像デー
タをＯＳＤメモリー３２ａから読み出して、指定されたＯＳＤ画像を形成するためのＯＳ
Ｄ画像情報を生成する。そして、入力画像上の所定の位置にＯＳＤ画像が重畳されるよう
に、画像情報入力部３１から入力される画像情報にこのＯＳＤ画像情報を合成する。ＯＳ
Ｄ画像情報が合成された画像情報は、画像処理部３３に出力される。なお、制御部２０か
らＯＳＤ画像を重畳する旨の指示がない場合には、ＯＳＤ処理部３２は、画像情報入力部
３１から入力される画像情報を、そのまま画像処理部３３に出力する。
【００５０】
ここで、レジストレーション調整の画面について説明する。
図６は、レジストレーション調整色選択画面を示す説明図である。レジストレーション
調整色選択画面Ｎ２は、ユーザーが操作受付部２１に備わるメニューキーを押下して、所
定の操作を行うことにより表示される。
【００５１】
図６に示すように、レジストレーション調整色選択画面Ｎ２の最上部には、レジストレ
ーション調整色選択画面であることを示す「レジストレーション調整色選択」の文字列が
表示されている。その下には、調整する色の選択を促す「レジストレーション調整を行う
色を選択してください。」の文字列が表示されている。さらに、画面中央には、Ｇ−Ｒ補
正値を調整する際に選択する「Ｇ−Ｒ」、およびＧ−Ｂ補正値を調整する際に選択する「
Ｇ−Ｂ」の選択肢が表示されている。そして、画面下部には、キー入力手順についての説
明が表示されている。
【００５２】
ユーザーが操作受付部２１を操作して、レジストレーション調整色選択画面Ｎ２上で「
Ｇ−Ｒ」、または「Ｇ−Ｂ」を選択して、決定キーによって決定すると、制御部２０は、
ＯＳＤ処理部３２に指示を出して、選択された色光の色ずれ補正を行うためのレジストレ
ーション調整画面を表示させる。
【００５３】
図７は、レジストレーション調整画面を示す説明図であり、図７（ａ）は通常の調整状
態を示す説明図であり、図７（ｂ）は、補正値が最大となった場合の調整状態を示す説明
図である。図７（ａ）に示すように、レジストレーション調整画面ＧＲ１は、投写画像Ｇ
１と同様に、格子模様を形成するように罫線Ｋ１が水平方向および垂直方向に複数表示さ
れる。
【００５４】
さらに、レジストレーション調整画面ＧＲ１の略中央下方には、調整状態（補正状態）
を表す状態表示メニュー部Ｍ１が表示される。状態表示メニュー部Ｍ１内の左側には、レ
ジストレーション補正方向を示すアイコン部ｉ１が表示される。ここで、アイコン部ｉ１
は、垂直方向上側を指し示す三角形アイコンｉｄ１と、垂直方向下側を指し示す三角形ア
イコンｉｄ２と、水平方向左側を指し示す三角形アイコンｉｄ３と、水平方向右側を指し
示す三角形アイコンｉｄ４とによって構成されている。そして、補正方向を指し示す三角
形アイコン部分は、現在補正中の色光を表す色によって塗りつぶされている。本レジスト
レーション調整画面ＧＲ１では、垂直方向上側を表す三角形アイコンｉｄ１が赤色光を表
す赤色で塗りつぶされている。このようにアイコン部ｉ１で補正方向を表すレジストレー
ション調整画面ＧＲ１を生成するＯＳＤ処理部３２が、補正方向表示制御部に相当する。
【００５５】
また、状態表示メニュー部Ｍ１内の右側には、レジストレーション補正値記憶部２５に
記憶されている現在補正中のＧ−Ｒ補正値またはＧ−Ｂ補正値が、レジストレーション補
正値表示部ｆ１として表されている。水平方向のレジストレーション補正値は記号「Ｈ：
」とその数値として表され、垂直方向のレジストレーション補正値は記号「Ｖ：」とその
数値として表される。
【００５６】
また、レジストレーション補正値がレジストレーション補正最大値記憶部２６に記憶さ
れている補正最大値「２０」となっている場合には、制御部２０がＯＳＤ処理部３２に指
示を出して、図７（ｂ）に示すように、補正方向を指し示す三角形アイコンｉｄ１を、現
在補正中の色光を表す色とは異なる所定の色（例えば灰色）の三角形アイコンｉｄ１ｇに
変更させる。
【００５７】
図１に戻り、画像処理部３３は、ＯＳＤ処理部３２から入力される画像情報を、液晶ラ
イトバルブ１２Ｒ，１２Ｇ，１２Ｂの各画素の階調を表す画像情報に変換する。ここで、
変換された画像情報は、Ｒ，Ｇ，Ｂの色光別になっており、各液晶ライトバルブ１２Ｒ，
１２Ｇ，１２Ｂのすべての画素に対応する複数の画素値によって構成されている。画素値
とは、対応する画素の光透過率を定めるものであり、この画素値によって、各画素から射
出する光の強弱（階調）が規定される。また、画像処理部３３は、制御部２０の指示に基
づき、変換した画像情報に対して、明るさ、コントラスト、シャープネス、色合い等を調
整するための画質調整処理等を行い、処理後の画像情報をライトバルブ駆動部１４に出力
する。
【００５８】
ライトバルブ駆動部１４が、画像処理部３３から入力される画像情報に対して、画像反
転制御部２４およびレジストレーション制御部２７からの指示に従って変換（補正）を行
い、変換後の画像情報に従って液晶ライトバルブ１２Ｒ，１２Ｇ，１２Ｂを駆動すると、
液晶ライトバルブ１２Ｒ，１２Ｇ，１２Ｂは、画像情報に応じた画像を形成し、この画像
が投写レンズ１３から投写される。
【００５９】
次に、プロジェクター１が設置モードに基づいて、レジストレーション調整画面のアイ
コン部ｉ１を変化させる動作について説明する。プロジェクター１は、前述したレジスト
レーション調整画面（ＧＲ１，ＧＲ２）の表示開始の際にアイコン方向変換処理を行う。
図８は、アイコン方向変換処理のフローチャートである。
【００６０】
レジストレーション調整色選択画面Ｎ２において、「Ｇ−Ｒ」または「Ｇ−Ｂ」を選択
して、決定キーによって決定すると、制御部２０は、ＯＳＤ処理部３２に指示を出して、
罫線Ｋ１を表示させる（ステップＳ１０１）。そして、制御部２０は、選択した色光に基
づき、レジストレーション補正値記憶部２５に記憶されているレジストレーション補正値
および補正方向を取得する（ステップＳ１０２）。そして、制御部２０は、ＯＳＤ処理部
３２に指示を出して、状態表示メニュー部Ｍ１を表示させる（ステップＳ１０３）。具体
的には、レジストレーション補正値および補正方向に基づいて、アイコン部ｉ１とレジス
トレーション補正値表示部ｆ１とを表示させる。
【００６１】
制御部２０は、設置モード記憶部２３に記憶されている設置モードを読み出して、「フ
ロント・天吊り」となっているか否かを判断する（ステップＳ１０４）。「フロント・天
吊り」になっていれば（ステップＳ１０４：ＹＥＳ）、制御部２０は、ＯＳＤ処理部３２
に指示を出して、アイコン部ｉ１の水平方向の左側と右側の三角形アイコンを逆転（反転
）させる（ステップＳ１０５）。さらに、制御部２０は、ＯＳＤ処理部３２に指示を出し
て、アイコン部ｉ１の垂直方向の上側と下側の三角形アイコンを逆転させる（ステップＳ
１０６）。そして、アイコン方向変換処理を終了する。
【００６２】
「フロント・天吊り」になっていなければ（ステップＳ１０４：ＮＯ）、制御部２０は
、設置モードが「リア・正置き」となっているか否かを判断する（ステップＳ１０７）。
「リア・正置き」になっていれば（ステップＳ１０７：ＹＥＳ）、制御部２０は、ＯＳＤ
処理部３２に指示を出して、アイコン部ｉ１の水平方向の左側と右側の三角形アイコンを
逆転させる（ステップＳ１０８）。そして、アイコン方向変換処理を終了する。
【００６３】
「リア・正置き」になっていなければ（ステップＳ１０７：ＮＯ）、制御部２０は、設
置モードが「リア・天吊り」となっているか否かを判断する（ステップＳ１０９）。「リ
ア・天吊り」になっていれば（ステップＳ１０９：ＹＥＳ）、制御部２０は、ＯＳＤ処理
部３２に指示を出して、アイコン部ｉ１の垂直方向の上側と下側の三角形アイコンを逆転
させる（ステップＳ１１０）。そして、アイコン方向変換処理を終了する。
【００６４】
「リア・天吊り」になっていなければ（ステップＳ１０９：ＮＯ）、三角形アイコンの
逆転は行わずにアイコン方向変換処理を終了する。
【００６５】
ここで、プロジェクター１がアイコン方向変換処理を行った場合のレジストレーション
調整画面について説明する。
図９は、フロント投写の場合のレジストレーション調整画面の説明図であり、図９（ａ
）は、プロジェクター１を正置き設置した場合の説明図であり、図９（ｂ）は、プロジェ
クター１を天吊り設置した場合の説明図である。図１０は、リア投写の場合のレジストレ
ーション調整画面の説明図であり、図１０（ａ）は、プロジェクター１を正置き設置した
場合の説明図であり、図１０（ｂ）は、プロジェクター１を天吊り設置した場合の説明図
である。
【００６６】
図９（ａ）では、設置モードが「フロント・正置き」の場合にＯＳＤ処理部３２が生成
するレジストレーション調整画面ＧＲ３を示している。レジストレーション調整画面ＧＲ
３では、アイコン部ｉ１の三角形アイコンは水平方向左側と垂直方向右側とを示し、水平
方向の補正値は「５」とし、垂直方向の補正値は「１２」としている。
【００６７】
ここで、図９（ｂ）では、設置モードが「フロント・天吊り」となった場合のレジスト
レーション調整画面ＧＲ４を示している。レジストレーション調整画面ＧＲ４では、アイ
コン部ｉ１の三角形アイコンは水平方向右側と垂直方向下側とを示しており、水平方向の
補正値は「５」となっており、垂直方向の補正値は「１２」となっている。
【００６８】
また、図１０（ａ）では、設置モードが「リア・正置き」となった場合のレジストレー
ション調整画面ＧＲ５を示している。レジストレーション調整画面ＧＲ５では、アイコン
部ｉ１の三角形アイコンは水平方向右側と垂直方向上側とを示しており、水平方向の補正
値は「５」となっており、垂直方向の補正値は「１２」となっている。
【００６９】
また、図１０（ｂ）では、設置モードが「リア・天吊り」の場合のレジストレーション
調整画面ＧＲ６を示している。レジストレーション調整画面ＧＲ６では、アイコン部ｉ１
の三角形アイコンは水平方向左側と垂直方向下側とを示しており、水平方向の補正値は「
５」となっており、垂直方向の補正値は「１２」となっている。
【００７０】
上述したように、レジストレーション調整画面では、設置モードが「フロント・天吊り
」ならば、アイコン部ｉ１の三角形アイコンを水平方向および垂直方向に逆転し、「リア
・正置き」ならば、アイコン部ｉ１の三角形アイコンを水平方向に逆転し、「リア・天吊
り」ならば、アイコン部ｉ１の三角形アイコンを垂直方向に逆転し、「フロント・正置き
」ならば、アイコン部ｉ１の三角形アイコンの逆転は行わない。
【００７１】
上述した第１の実施形態によれば、以下の効果が得られる。
（１）プロジェクター１は、レジストレーション調整画面において、三角形アイコンを
用いて補正方向を表示する。そして、プロジェクター１のＯＳＤ処理部３２は、レジスト
レーション調整画面を生成する際に、設置モードが「フロント・天吊り」ならば、補正方
向を示す三角形アイコンを水平方向および垂直方向に逆転する。これにより、設置モード
に応じてライトバルブ駆動部１４で画像が反転された際に、レジストレーション補正方向
が正しく表示される。即ち、ハードウェア的（光学機構的）に正しい補正方向が表示され
る。同様に、「リア・正置き」ならば、三角形アイコンを水平方向に逆転し、「リア・天
吊り」ならば、三角形アイコンを垂直方向に逆転することで、ライトバルブ駆動部１４で
画像が水平方向や垂直方向に反転された場合にも、レジストレーション補正方向が正しく
表示される。つまり、プロジェクターの設置状態に係わらず、レジストレーション補正方
向が三角形アイコンによって、投写画面に正しく表示される。そして、レジストレーショ
ン調整画面において、ユーザーから見た補正方向と実際の補正方向とが一致する。よって
、レジストレーション調整を行う際の操作性の低下を防止することができる。
【００７２】
（２）プロジェクター１は、レジストレーション調整画面において、アイコン部ｉ１の
補正されている三角形アイコンの色は、補正がなされている色光に対応する色になってい
る。これにより、ユーザーは、位置ずれの補正を行っている色光の識別が容易になる。
【００７３】
（３）プロジェクター１は、レジストレーション調整画面において、補正値が最大にな
った場合に、三角形アイコンの色を所定の色（例えば灰色）に変更する。これにより、ユ
ーザーは補正最大値になっていることを認識することが容易になる。
【００７４】
（第２の実施形態）
第２の実施形態では、レジストレーション調整画面において、レジストレーション補正
値と補正最大値とを表示するプロジェクターについて説明する。
【００７５】
第２の実施形態のプロジェクター２の回路構成は、第１の実施形態の図１と同様である
。ただし、ＯＳＤ処理部３２が生成するレジストレーション調整画面の一部が異なる。
【００７６】
図１１は、第２の実施形態に係るプロジェクター２のレジストレーション調整画面を示
す説明図である。図１１に示すように、レジストレーション調整画面ＧＲ７は、図７で示
したレジストレーション調整画面ＧＲ１と比べてレジストレーション補正値表示部の表示
の仕方が異なる。その他の表示は同様である。
【００７７】
状態表示メニュー部Ｍ７内の右側には、レジストレーション補正値表示部ｆ７が表示さ
れている。レジストレーション補正値表示部ｆ７の水平方向のレジストレーション補正値
の表示は、記号「Ｈ：」と、その数値と、記号「／」と、補正最大値とで表されている。
また、レジストレーション補正値表示部ｆ７の垂直方向のレジストレーション補正値の表
示は、記号「Ｖ：」と、その数値と、記号「／」と、補正最大値とで表されている。ここ
で、補正最大値とは、レジストレーション補正最大値記憶部２６に記憶されている補正最
大値である。本実施形態では、第１の実施形態と同様に、補正最大値は「２０」としてい
る。なお、このときのＯＳＤ処理部３２が補正量表示制御部に相当する。
【００７８】
上述した第２の実施形態によれば、以下の効果が得られる。
（１）プロジェクター２によれば、ユーザーは、レジストレーション調整を行う際に、
現在のレジストレーション補正値と補正最大値とを数字で比較することができる。よって
、ユーザーは、現在の補正程度を容易に把握することができる。
【００７９】
（第３の実施形態）
第３の実施形態では、レジストレーション調整画面において、レジストレーション補正
値と補正最大値との割合をアイコンによって表示するプロジェクターについて説明する。
【００８０】
第３の実施形態のプロジェクター３の回路構成は、第１の実施形態の図１と同様である
。ただし、ＯＳＤ処理部３２が生成するレジストレーション調整画面の一部が異なる。
【００８１】
図１２は、第３の実施形態に係るプロジェクター３のレジストレーション調整画面を示
す説明図である。図１２に示すように、レジストレーション調整画面ＧＲ８は、第２の実
施形態の図１１で示したレジストレーション調整画面ＧＲ７と比べてアイコン部の表示の
仕方が異なる。その他の表示は同様である。
【００８２】
状態表示メニュー部Ｍ７内の左側には、アイコン部ｉ８が表示されている。アイコン部
ｉ８の補正方向を表している三角形アイコンｉｄ１ｈは、三角形アイコンｉｄ１ｈ全体の
面積が補正最大値を表すものとし、三角形アイコンｉｄ１ｈの底辺側（アイコン部ｉ８の
中心側）の塗りつぶされている領域の面積が、現在補正しているレジストレーション補正
値を表すものとしている。つまり、三角形アイコンｉｄ１ｈ全体領域の面積と底辺側の塗
りつぶされている領域の面積の比が、補正最大値と現在補正しているレジストレーション
補正値の比を表している。ここで、補正最大値とは、レジストレーション補正最大値記憶
部２６に記憶されている補正最大値である。本実施形態では、第１の実施形態と同様に、
補正最大値は「２０」としている。
【００８３】
上述した第３の実施形態によれば、以下の効果が得られる。
（１）プロジェクター３によれば、レジストレーション調整を行う際に、ユーザーは、
レジストレーション補正値と補正最大値とを三角形アイコンの色の塗り分け状態で比較す
ることができる。よって、ユーザーは、容易に現在のレジストレーション補正量の程度を
把握することができる。
【００８４】
なお、上述した実施形態に限定されず、種々の変更や改良等を加えて実施することが可
能である。変形例を以下に述べる。
【００８５】
（変形例１）上記実施形態では、レジストレーション補正値記憶部２５は、プロジェク
ター１，２，３のレジストレーション補正量を、緑色光Ｇに対する赤色光Ｒの補正値であ
るＧ−Ｒ補正値と、緑色光Ｇに対する青色光Ｂの補正値であるＧ−Ｂ補正値として記憶し
ているが、赤色光Ｒ、緑色光Ｇ、および青色光Ｂの補正値をそれぞれ記憶してもよい。こ
の場合、レジストレーション調整色選択画面では、レジストレーション調整を行う色光を
、Ｒ，Ｇ，またはＢから選択し、レジストレーション調整画面により色光毎に補正を行う
。
【００８６】
（変形例２）上記実施形態では、光源１１は、放電型の光源ランプ１１ａによって構成
されているが、ＬＥＤ（Light Emitting Diode）光源やレーザー等の固体光源や、その他
の光源を用いることもできる。
【００８７】
（変形例３）上記実施形態では、光変調装置として、透過型の液晶ライトバルブ１２Ｒ
，１２Ｇ，１２Ｂを用いているが、反射型の液晶ライトバルブ等、反射型の光変調装置を
用いることも可能である。
【符号の説明】
【００８８】
１，２，３…プロジェクター、１０…画像投写部、１１…光源、１１ａ…光源ランプ、
１１ｂ…リフレクター、１２Ｒ，１２Ｇ，１２Ｂ…液晶ライトバルブ、１３…投写レンズ
、１４…ライトバルブ駆動部、２０…制御部、２１…操作受付部、２２…光源制御部、２
３…設置モード記憶部、２４…画像反転制御部、２５…レジストレーション補正値記憶部
、２６…レジストレーション補正最大値記憶部、２７…レジストレーション制御部、３１
…画像情報入力部、３２…ＯＳＤ処理部、３２ａ…ＯＳＤメモリー、３３…画像処理部。
【図１】
2012088636.tif 000003
【図２】
2012088636.tif 000004
【図３】
2012088636.tif 000005
【図４】
2012088636.tif 000006
【図５】
2012088636.tif 000007
【図６】
2012088636.tif 000008
【図７】
2012088636.tif 000009
【図８】
2012088636.tif 000010
【図９】
2012088636.tif 000011
【図１０】
2012088636.tif 000012
【図１１】
2012088636.tif 000013
【図１２】
2012088636.tif 000014